(57)【要約】【課題】どのように、中性子と中間子はできたか。ミュー粒子は何か。λμは何か。中間子にクオークは存在するのか。【解決手段】太陽の中央では、電子のラブと電子ニュートリノは独立して存在する。陽子のラブと陽子ニュートリノは独立して存在する。そのエネルギーはいくらか。それを材料にして、中間子と中性子はできる。太陽の中央の高エネルギーの軌道を、エネルギー別に分け、どの部分で何ができたかを検討する。(陽子と陽子が衝突したときニュートリノはできる。このニュートリノとミュー粒子が結合し、π中間子ができる。ミュー粒子はλμ＋e-+λe、です。)  この事から、ミュー粒子は何か、λμは何か、を求める。【選択図】図１
2010239864.tif 000002
【特許請求の範囲】
【請求項１】
太陽の中央では、電子は、電子のラブと電子のラブが作った電子ニュートリノとが分離した状態で存在する。
【請求項２】
太陽の中央の電子ニュートリノは、電子ニュートリノが7.96×107公転で1つの球体になっているとすると、磁気の光子のエネルギーと電気の光子のエネルギーは、3.592×10−20Jです。
【請求項３】
太陽の中央では、陽子は、陽子のラブと陽子のラブが作った陽子ニュートリノとが分離した状態で存在する。
【請求項４】
太陽の中央の陽子ニュートリノは、陽子ニュートリノが4.34×104公転で1つの球体になっているとすると、磁気の光子のエネルギーと電気の光子のエネルギーは、1.956×10−23Jです。
【請求項５】
太陽の中央では、電子のラブと陽子のラブは結合する。これを中性子のラブと名付けます。
【請求項６】
太陽の中央には、電子のラブと陽子のラブは結合するエネルギーの場がある。その場で中性子はできた。
【請求項７】
中性子のラブは、太陽の中央で、電子のラブの質量エネルギーが3.171×10−10Jで、陽子のラブの質量エネルギーが5.810×10−7Jの場でできた。
【請求項８】
太陽の中央には、電子のラブと陽子ニュートリノと電子ニュートリノが結合し、更に、陽子ニュートリノが結合するエネルギーの場がある。その場で中間子はできた。
【請求項９】
中間子は、電子のラブ＋電子ニュートリノ＋陽子ニュートリノ＋陽子ニュートリノ、です。
【請求項１０】
中間子は、電子のラブの質量エネルギーが3.171×10−10Jで、電子ニュートリノの電気の光子と磁気の光子のエネルギーが3.592×10−20Jで、陽子ニュートリノの電気の光子と磁気の光子のエネルギーが1.956×10−23J×2、でできた。
【請求項１１】
2個の陽子＋2個の電子＝2個の陽子のラブ＋2個の陽子ニュートリノ＋2個の電子のラブ＋2個の電子ニュートリノ＝陽子のラブ＋電子のラブ＋陽子のラブ＋電子のラブ＋電子ニュートリノ＋陽子ニュートリノ＋陽子ニュートリノ＋電子ニュートリノ＝陽子のラブ＋中性子のラブ＋中間子＋電子ニュートリノ＝原子核＋電子ニュートリノ
【請求項１２】
2個の陽子と2個の電子で、1個の陽子のラブ＋1個の中性子＋1個の中間子＋電子のニュートリノ、ができます。
【請求項１３】
2個の陽子と2個の電子で原子核＋電子ニュートリノ、ができます。
【請求項１４】
この電子ニュートリノが太陽から出発します。
【請求項１５】
ミュー粒子は電子のラブ＋電子ニュートリノ＋陽子ニュートリノ、です。
【請求項１６】
λμは陽子ニュートリノです。
【請求項１７】
クオークは、ビッグバンの以前の超高エネルギーの場で存在できたものであるから、中間子ができる太陽の中心のエネルギーの場ではできない。この事によって、中間子には、クオークは存在しない事が理解できる。
【請求項１８】
太陽の中央には、中性子のできる場の軌道、中間子のできる場の軌道、ミュー粒子のできる場の軌道、陽子のラブと陽子ニュートリノが独立する場の軌道、電子のラブと電子ニュートリノが独立する場の軌道が存在する。
【発明の詳細な説明】
【技術分野】
【０００１】
本発明は、どのように、中性子と中間子はできたかに関するものである。ミュー粒子は何か。λμは何か。中間子にクオークは存在するのかに関するものである。
【背景技術】
【０００２】
中性子と中間子は星の中でできると考えられている。
陽子と陽子が衝突したときニュートリノはできる。このニュートリノとミュー粒子が結合し、π中間子ができる。
ミュー粒子はλμ＋e-+λe、です。
中間子にはクオークと反クオークが存在すると考えられている。
【先行技術文献】
【非特許文献】
【０００３】
【特許文献１】特願2005−292945
【特許文献２】特願2006−202560
【特許文献３】特願2006−336352
【発明の概要】
【発明が解決しようとする課題】
【０００４】
どのように、中性子と中間子はできたか。ミュー粒子は何か。λμは何か。中間子にクオークは存在するのか。
【課題を解決するための手段】
【０００５】
電子は、電子のラブという非常に小さい物質でできている。電子のラブは自転し、磁気の光子を作り、公転し、電気の光子を作っている。
陽子は陽子のラブという非常に小さい物質でできている。陽子のラブは自転し、磁気の光子を作り、公転し、電気の光子を作っている。これを超微粒子論と名付ける。
電子のラブと陽子のラブの自転軌道と公転軌道は、存在する場のエネルギーにより異なる。高エネルギーの場では、自転軌道と公転軌道は小さくなる。低エネルギーの場では、自転軌道と公転軌道は大きくなる。
地表のA倍のエネルギーの場では、電子のラブと陽子のラブの自転軌道と公転軌道は地表の1/A になる。
また、電子のラブと陽子のラブが1秒間に作る磁気の光子のエネルギーと電気の光子のエネルギーは、存在する場のエネルギーにより異なる。高エネルギーの場では、1秒間に作る磁気の光子のエネルギーと電気の光子のエネルギーは、大きくなる。低エネルギーの場では、1秒間に作る磁気の光子のエネルギーと電気の光子のエネルギーは、小さくなる。
地表のA倍のエネルギーの場では、電子のラブと陽子のラブが1秒間に作る磁気の光子のエネルギーと電気の光子のエネルギーは、地表のA 倍になる。
電子ニュートリノとは、電子のラブが作った磁気の光子と電気の光子が輪(球)の状態で電子のラブから離れたものです。
陽子ニュートリノとは、陽子のラブが作った磁気の光子と電気の光子が輪(球)の状態で陽子のラブから離れたものです。
太陽の中央は、高エネルギーの場なので、電子のラブが作った磁気の光子と電気の光子は電子ニュートリノとして存在する。陽子のラブが作った磁気の光子と電気の光子は陽子ニュートリノとして存在する。
太陽の中央は、高エネルギーの場なので、電子のラブ、電子ニュートリノ、陽子のラブ、陽子ニュートリノが存在する。
中性子と中間子は、電子のラブ、電子ニュートリノ、陽子のラブ、陽子ニュートリノを材料にしてできた。
それでは、太陽の中央はどのようになっているか。
地表(地表の温度を1℃とする)において、電子のラブの公転軌道は1.058×10−10ｍであり、自転軌道は4.175×10−18ｍです。
陽子のラブの公転軌道は5.777×10−14ｍであり、自転軌道は4.18×10−18ｍです。
太陽の中央の温度は、15,000,000 Kです。この場のAは、(１５×106)1/2=3.873×103 です。Aは地表のエネルギーの何倍かを示す。
・太陽の中央の電子ニュートリノについて。
太陽の中央では、電子のラブの公転軌道は、1.058×10−10ｍ÷(3.873×103)＝2.732×10−14ｍであり、自転軌道は4.175×10−18ｍ÷(3.873×103)＝1.078×10-21mです。
電子のラブは、１自転し、1.078×10-21mの磁気の光子を作り、1公転する時、7.96×107回自転するので、7.96×107個の磁気の光子を作ります。1回の公転で電気の光子が1個、その中に磁気の光子が7.96×107個存在します。これは電磁気として存在します。これを、1つの輪とすると、電子のラブは、1秒間に、6.336×1015個の輪で球を作ります。ただし、1束が7.96×107公転(輪)であるとすると、電子ニュートリノも7.96×107公転で1つの球体になっている。
電子のラブが1秒間に作る磁気の光子のエネルギーは、3.083×10−33Jｍ÷自転軌道＝3.083×10−33Jｍ÷(1.078×10-21m)＝2.860×10−12J、です。
電子ニュートリノが7.96×107公転で1つの球体になっているとすると、その磁気の光子のエネルギーは、2.860×10−12J÷(6.336×1015個)×7.96×107＝3.593×10−20J、です。
電子のラブが1秒間に作る電気の光子のエネルギーは、7.812×10−26Jｍ÷公転軌道＝7.812×10−26Jｍ÷(2.732×10-14m)＝2.859×10−12J、です。
電子ニュートリノが7.96×107公転で1つの球体になっているとすると、その電気の光子のエネルギーは、2.859×10−12J÷(6.336×1015個)×7.96×107＝3.592×10−20J、です。
よって、太陽の中央の電子ニュートリノは、電子ニュートリノが7.96×107公転で1つの球体になっているとすると、磁気の光子のエネルギーと電気の光子のエネルギーは、3.592×10−20Jです。1秒間に、6.336×1015個÷(7.96×107)＝7.96×107個、の電子ニュートリノができます。
・太陽の中央の電子のラブの質量エネルギーは、地表の3.873×103
倍ですから、8.187×10−14J×3.873×103 ＝3.171×10−10Jです。
・太陽の中央の陽子ニュートリノについて。
太陽の中央では、陽子のラブの公転軌道は5.777×10−14ｍ÷(3.873×103)＝1.492×10−17ｍであり、自転軌道は4.18×10−18ｍ÷(3.873×103)＝1.079×10−21mです。
陽子のラブは、１自転し、1.079×10-21mの磁気の光子を作り、1公転する時、4.34×104回自転するので、4.34×104個の磁気の光子を作ります。1回の公転で電気の光子が1個、その中に磁気の光子が4.34×104個存在します。これは電磁気として存在します。これを、1つの輪とすると、陽子のラブは、1秒間に、3.455×1012個の輪を作ります。ただし、1束が4.34×104公転(輪)であるとすると、陽子ニュートリノも4.34×104公転で1つの球体になっている。
陽子のラブが1秒間に作る磁気の光子のエネルギーは、1.681×10−36Jｍ÷自転軌道＝1.681×10−36Jｍ÷(1.079×10-21m)＝1.558×10−15J、です。
陽子ニュートリノが4.34×104公転で1つの球体になっているとすると、その磁気の光子のエネルギーは、1.558×10−15J÷(3.455×1012個)×4.34×104＝1.957×10−23J、です。
陽子のラブが1秒間に作る電気の光子のエネルギーは、2.323×10−32Jｍ÷公転軌道＝2.323×10−32Jｍ÷(1.492×10-17m)＝1.557×10−15J、です。
陽子ニュートリノが4.34×104公転で1つの球体になっているとすると、その電気の光子のエネルギーは、1.557×10−15J÷(3.455×1012個)×4.34×104＝1.956×10−23J、です。
よって、太陽の中央の陽子ニュートリノは、陽子ニュートリノが4.34×104公転で1つの球体になっているとすると、磁気の光子のエネルギーと電気の光子のエネルギーは、1.956×10−23Jです。1秒間に、3.455×1012個÷(4.34×104)＝7.96×107個、の陽子ニュートリノができます。
・太陽の中央の陽子のラブの質量エネルギーは、地表の3.873×103
倍ですから、1.5×10−10J×3.873×103 ＝5.810×10−7Jです。
・太陽の中央の電子ニュートリノと陽子ニュートリノの比較。
表1
2010239864.tif 000003
それで、太陽の中央には、電子のラブと、電子ニュートリノと、陽子のラブと、陽子ニュートリノが存在します。
これらが材料になって、中性子と中間子ができます。
中性子は、電子のラブ＋陽子のラブ、です。これを中性子のラブと名付けます。
中性子のラブは、太陽の中央で、電子のラブの質量エネルギーが3.171×10−10Jで、陽子のラブの質量エネルギーが5.810×10−7Jの場でできた。
中間子は、電子のラブ＋電子ニュートリノ＋陽子ニュートリノ＋陽子ニュートリノ、です。
中間子は、電子のラブの質量エネルギーが3.171×10−10Jで、電子ニュートリノの電気の光子と磁気の光子のエネルギーが3.592×10−20Jで、陽子ニュートリノの電気の光子と磁気の光子のエネルギーが1.956×10−23J×2、でできた。
2個の陽子＋2個の電子＝2個の陽子のラブ＋2個の陽子ニュートリノ＋2個の電子のラブ＋2個の電子ニュートリノ＝陽子のラブ＋電子のラブ＋陽子のラブ＋電子のラブ＋電子ニュートリノ＋陽子ニュートリノ＋陽子ニュートリノ＋電子ニュートリノ＝陽子のラブ＋中性子のラブ＋中間子＋電子ニュートリノ＝原子核＋電子ニュートリノ
2個の陽子と2個の電子で、1個の陽子のラブ＋1個の中性子＋1個の中間子＋電子のニュートリノ、ができます。
2個の陽子と2個の電子で原子核＋電子ニュートリノ、ができます。
この電子ニュートリノが太陽から出発します。
これらの事から、(ミュー粒子は何か。λμは何か。中間子にクオークは存在するのか。)  について考えます。
・ミュー粒子は何か。λμは何か。
陽子と陽子が衝突したときニュートリノはできる。このニュートリノとミュー粒子が結合し、π中間子ができる。ミュー粒子はλμ＋e-+λe、です。
陽子と陽子が衝突したときできるニュートリノは、陽子のラブが作った電気の光子と磁気の光子の輪の束です。これは、陽子ニュートリノです。但し、この陽子ニュートリノは、太陽の中央の高エネルギーの場の陽子ニュートリノです。
この陽子ニュートリノとミュー粒子が結合し、π中間子ができる。
中間子は、電子のラブ＋電子ニュートリノ＋陽子ニュートリノ＋陽子ニュートリノ、ですから、
π中間子＝陽子ニュートリノ＋ミュー粒子＝電子のラブ＋電子ニュートリノ＋陽子ニュートリノ＋陽子ニュートリノ
ミュー粒子＝電子のラブ＋電子ニュートリノ＋陽子ニュートリノ
そして、ミュー粒子はλμ＋e-+λe、ですから、
ミュー粒子＝λμ＋e-+λe＝電子のラブ＋電子ニュートリノ＋陽子ニュートリノ
λμ＝陽子ニュートリノ
よって、ミュー粒子は電子のラブ＋電子ニュートリノ＋陽子ニュートリノ、です。
λμは陽子ニュートリノです。
・中間子にクオークは存在するのか。
中間子の中には、クオークと反クオークが存在すると考えられている。
しかし、クオークは、ビッグバンの以前の超高エネルギーの場で存在できたものであるから、中間子ができる太陽の中心のエネルギーの場ではできない。この事によって、中間子には、クオークは存在しない事が理解できる。
よって、中間子の中には、クオークと反クオークは存在しない。
【発明の効果】
【０００６】
次の事が理解できた。
１．太陽の中央では、電子は、電子のラブと電子のラブが作った電子ニュートリノとが分離した状態で存在する。
１．太陽の中央の電子ニュートリノは、電子ニュートリノが7.96×107公転で1つの球体になっているとすると、磁気の光子のエネルギーと電気の光子のエネルギーは、3.592×10−20Jです。
１．太陽の中央では、陽子は、陽子のラブと陽子のラブが作った陽子ニュートリノとが分離した状態で存在する。
１．太陽の中央の陽子ニュートリノは、陽子ニュートリノが4.34×104公転で1つの球体になっているとすると、磁気の光子のエネルギーと電気の光子のエネルギーは、1.956×10−23Jです。
１．太陽の中央では、電子のラブと陽子のラブは結合する。これを中性子のラブと名付けます。
１．太陽の中央には、電子のラブと陽子のラブは結合するエネルギーの場がある。その場で中性子はできた。
１．中性子のラブは、太陽の中央で、電子のラブの質量エネルギーが3.171×10−10Jで、陽子のラブの質量エネルギーが5.810×10−7Jの場でできた。
１．太陽の中央には、電子のラブと陽子ニュートリノと電子ニュートリノが結合し、更に、陽子ニュートリノが結合するエネルギーの場がある。その場で中間子はできた。
１．中間子は、電子のラブ＋電子ニュートリノ＋陽子ニュートリノ＋陽子ニュートリノ、です。
１．中間子は、電子のラブの質量エネルギーが3.171×10−10Jで、電子ニュートリノの電気の光子と磁気の光子のエネルギーが3.592×10−20Jで、陽子ニュートリノの電気の光子と磁気の光子のエネルギーが1.956×10−23J×2、でできた。
１．2個の陽子＋2個の電子＝2個の陽子のラブ＋2個の陽子ニュートリノ＋2個の電子のラブ＋2個の電子ニュートリノ＝陽子のラブ＋電子のラブ＋陽子のラブ＋電子のラブ＋電子ニュートリノ＋陽子ニュートリノ＋陽子ニュートリノ＋電子ニュートリノ＝陽子のラブ＋中性子のラブ＋中間子＋電子ニュートリノ＝原子核＋電子ニュートリノ
１．2個の陽子と2個の電子で、1個の陽子のラブ＋1個の中性子＋1個の中間子＋電子のニュートリノ、ができます。
１．2個の陽子と2個の電子で原子核＋電子ニュートリノ、ができます。
１．この電子ニュートリノが太陽から出発します。
１．ミュー粒子は電子のラブ＋電子ニュートリノ＋陽子ニュートリノ、です。
１．λμは陽子ニュートリノです。
１．クオークは、ビッグバンの以前の超高エネルギーの場で存在できたものであるから、中間子ができる太陽の中心のエネルギーの場ではできない。この事によって、中間子には、クオークは存在しない事が理解できる。
１．太陽の中央には、中性子のできる場の軌道、中間子のできる場の軌道、ミュー粒子のできる場の軌道、陽子のラブと陽子ニュートリノが独立する場の軌道、電子のラブと電子ニュートリノが独立する場の軌道が存在する。
【図面の簡単な説明】
【０００７】
【図１】図1は太陽の中央の軌道で、中心になるほど高エネルギーの軌道になる。太陽の中央には、電子のラブと電子ニュートリノが独立する軌道、陽子のラブと陽子ニュートリノが独立する軌道、ミュー粒子のできる軌道、中間子のできる軌道、中性子のできる軌道が存在する。
【発明を実施するための形態】
【０００８】
これを、太陽の中央の高エネルギーの軌道により説明する。中心になるほど高エネルギーの軌道になる。
電子のラブと電子ニュートリノが独立する軌道には、電子のラブと電子ニュートリノが存在する。
陽子のラブと陽子ニュートリノが独立する軌道には、陽子のラブと陽子ニュートリノが存在する。
ミュー粒子のできる軌道には、電子のラブと電子ニュートリノと陽子ニュートリノが存在する。
中間子のできる軌道には、電子のラブと電子ニュートリノと陽子ニュートリノと陽子ニュートリノが存在する。
中性子のできる軌道には、電子のラブと陽子のラブが存在する。
【産業上の利用可能性】
【０００９】
中性子も中間子も、太陽の中央の高エネルギーの場でなければ、単独で存在できない。よって、地上では存在できないので、産業上の利用可能性はない。
【符号の説明】
【００１０】
１    電子のラブ
２    電子ニュートリノ
３    陽子のラブ
４    陽子ニュートリノ
５    電子のラブと電子ニュートリノが独立する軌道
６   
陽子のラブと陽子ニュートリノが独立する軌道
７    ミュー粒子ができる軌道には、電子のラブと電子ニュートリノと陽子ニュートリノが存在する。
８    中間子ができる軌道には、電子のラブと電子ニュートリノと陽子ニュートリノと陽子ニュートリノが存在する。
９    中性子ができる軌道には、電子のラブと陽子のラブが存在する。
【図１】
2010239864.tif 000004